(57)【特許請求の範囲】
【請求項１】
液晶を利用して映像を表示するための表示領域と、当該表示領域の周辺に形成される周辺領域とを有する液晶パネルであって、
前記液晶パネルを制御するための第１基板と、
前記第１基板に対向して配置される第２基板と、
前記第１基板と前記第２基板とを接続するシール材および接続部材と、
前記周辺領域に設けられる、前記液晶パネルの駆動に使用されるコモン配線と、
前記周辺領域に設けられ、接地電位と接続される第１グランド配線および第２グランド配線と、を備え、
前記コモン配線、前記第１グランド配線および前記第２グランド配線上には、絶縁膜が設けられ、
前記シール材および前記接続部材の各々は、前記絶縁膜上に互いに離れて設けられ、
前記周辺領域において、前記コモン配線、前記第１グランド配線および前記第２グランド配線の各々は、互いに離れて設けられ、
前記コモン配線および前記シール材は、平面視において、前記表示領域を囲むように設けられ、
前記第１基板、前記第２基板および前記シール材により形成される領域に前記液晶が設けられ、
前記第１グランド配線は、平面視において、前記コモン配線を囲むように設けられ、
前記第２グランド配線は、平面視において、前記第１グランド配線を囲むように設けられ、
前記接続部材は、平面視において、前記シール材を囲むように設けられ、
前記第２グランド配線のうち前記表示領域から最も遠い端である配線端は、前記接続部材のうち当該表示領域から最も遠い端よりも、平面視において、当該表示領域から離れた位置に存在し、
前記シール材と前記接続部材との間には、電界が印加されている状態の前記液晶の比誘電率である液晶比誘電率より小さい比誘電率を有する空気を含む空間が存在し、
前記第１グランド配線のうち前記第２グランド配線に最も近い部分である第１端部と、当該第２グランド配線のうち当該第１グランド配線に最も近い部分である第２端部とは、前記絶縁膜を介して、前記空間に接しており、
前記シール材の比誘電率は、前記液晶比誘電率より小さく、
前記コモン配線のうち前記第１グランド配線に最も近い部分である第３端部と、当該第１グランド配線のうち当該コモン配線に最も近い部分である第４端部とは、前記絶縁膜を介して、前記シール材に接している
液晶パネル。
【請求項２】
前記接続部材は、前記第１基板と前記第２基板とを接続するための別のシール材、または、前記第１基板と前記第２基板との間隔を確保するためのスペーサである
請求項１に記載の液晶パネル。
【請求項３】
前記液晶パネルは、当該液晶パネルを制御するための駆動回路により制御され、
前記液晶パネルは、前記接地電位に接続されている接地端子を有する回路基板と接続されており、
前記第１グランド配線および前記第２グランド配線は、前記駆動回路とは独立して設けられ、
前記第１グランド配線および前記第２グランド配線は、前記接地端子と接続されている
請求項１または２に記載の液晶パネル。
【請求項４】
前記絶縁膜のうち前記第１グランド配線と前記第２グランド配線との間の領域、および、当該絶縁膜のうち前記コモン配線と当該第１グランド配線との間の領域の両方または一方に、穴が設けられる
請求項１から３のいずれか１項に記載の液晶パネル。
【請求項５】
前記第１グランド配線は、厚み方向に積層された第１配線および第２配線から構成され、
前記第１基板内において、前記第１配線と前記第２配線とは電気的に接続される
請求項１から４のいずれか１項に記載の液晶パネル。
【請求項６】
前記第２グランド配線は、厚み方向に積層された第３配線および第４配線から構成され、
前記第１基板内において、前記第３配線と前記第４配線とは電気的に接続される
請求項１から５のいずれか１項に記載の液晶パネル。
【請求項７】
前記第２グランド配線は、前記液晶パネルの端部において当該液晶パネルの外部に露出している
請求項１から６のいずれか１項に記載の液晶パネル。
【請求項８】
請求項１から７のいずれか１項に記載の液晶パネルを制御して前記映像を表示する液晶表示装置。
【発明の詳細な説明】
【技術分野】
【０００１】
本発明は、液晶を利用して映像を表示する液晶パネルおよび液晶表示装置に関する。
【背景技術】
【０００２】
液晶表示装置では、一般的に、アレイ基板と対向基板とが、シール材により接着される。当該アレイ基板は、ＴＦＴ（Thin Film Transistor：薄膜トランジスタ）等が設けられた基板である。当該対向基板は、アレイ基板に対向して配置される基板である。また、アレイ基板、対向基板およびシール材等により構成される空間には液晶が充填される。また、アレイ基板の周縁部には、当該液晶表示装置の駆動に使用される電圧を供給するためのコモン配線が配置される。
【０００３】
また、最近の液晶表示装置に対しては、広い視野角を有することが要求される。そのため、液晶表示装置では、ＦＦＳ（Fringe Field Switching）モードの液晶パネルがよく用いられる。ＦＦＳモードの液晶パネルでは、液晶の配向を制御する画素電極および共通電極の両方がアレイ基板に設けられている。当該画素電極と、当該共通電極とは絶縁膜を介して積層されている。当該画素電極および共通電極といった２つの電極のうち、上層側の電極にはスリットが設けられている。また、アレイ基板のうち液晶に接する面には、当該スリットの長辺方向とほぼ平行な方向にラビング処理が施されている。
【０００４】
上記の２つの電極間の電位が、オフ電位である場合、液晶を構成する液晶分子は、スリットの長辺方向とほぼ平行に配向する。当該２つの電極間に、当該オフ電位より大きい電位が印加された場合、スリットの長辺に対して垂直な方向に電界（横電界）が発生する。この場合、液晶分子は電界方向に沿うように基板に平行な面内において回転（横回転）する。
【０００５】
このような液晶表示装置では、液晶分子の回転角を制御することによって、透過光量が制御される。なお、画素電極および共通電極の両方がアレイ基板に設けられた構造を有する液晶パネルのモードとしては、ＦＦＳモード以外にも、ＩＰＳ（In Plane Switching）モードがよく知られている。
【０００６】
ＦＦＳモード、ＩＰＳモード等の液晶表示装置においては、液晶パネルの表面の帯電により表示不良が生じやすい。そのため、特許文献１では、静電気等の帯電による表示の異常の発生を防止する技術（以下、「関連技術Ａ」ともいう）が開示されている。具体的には、関連技術Ａでは、上側基板（対向基板）のうち液晶に接しない面に導電層が形成されており、当該導電層は接地されている。言い換えれば、当該導電層は、接地電位に維持されたアース端子に接続される。
【０００７】
また、最近、液晶パネル、有機ＥＬ（Electro Luminescence）パネル等の表示パネルにおいて、小型化、薄型化、狭額縁化等が求められている。また、液晶パネル、有機ＥＬパネル等の表示パネルには、ユーザの操作を受付けるタッチ機能を有するものが増えている。これらに伴い、人体等に蓄えられた静電気による放電により、当該表示パネルの動作不具合の発生が増大している。
【０００８】
ここで、一例として、液晶パネルについて説明する。一般的に、液晶パネルに含まれるアレイ基板の周縁部には、コモン配線が配置される。平面視において、当該コモン配線の端部は、シール材より外側にでている場合が多い。このため、静電気による放電により、液晶パネル（アレイ基板）の周縁部に到達する電荷は、アレイ基板のコモン配線を介して、ドライバＩＣ（Integrated Circuit）に伝達する可能性が高い。当該ドライバＩＣは、例えば、アレイ基板と電気的に接続される回路基板おいて、ＣＯＧ（Chip on Glass）実装、ＣＯＦ（Chip on Film）実装等により設けられたＩＣである。この場合、ドライバＩＣの誤動作、故障等を引き起こす可能性がある。
【０００９】
そこで、特許文献２には、放電による液晶パネル（液晶表示装置）の動作不具合を防止する技術（以下、「関連技術Ｂ」ともいう）が開示されている。具体的には、関連技術Ｂでは、平面視において、コモン配線はシールより内側に配置される。また、接地電位に接続された配線（グランド配線）が、コモン配線を囲むように設けられる。また、当該配線は、平面視において、シールよりも外側に設けられた張り出し部と接続される。当該張り出し部は接地電位に接続される。
【先行技術文献】
【特許文献】
【００１０】
【特許文献１】特開平９−１０５９１８号公報（図１４）
【特許文献２】特開２００８−０４６２７８号公報
【発明の概要】
【発明が解決しようとする課題】
【００１１】
関連技術Ｂは、関連技術Ａよりも、静電気の発生による不具合を抑制する度合いが大きい。しかしながら、関連技術Ｂでは、コモン配線を囲む、接地電位に接続された配線（グランド配線）の数は、１である。そのため、関連技術Ｂでは、静電気による放電に伴う電荷が、グランド配線を介して、コモン配線に伝達し易い。なお、コモン配線は、液晶パネル（液晶表示装置）の駆動のために使用される。そのため、放電に伴う電荷がコモン配線に伝達した場合、例えば、液晶パネル（液晶表示装置）において、様々な不具合が発生する。当該不具合は、例えば、液晶パネルの故障である。すなわち、関連技術Ｂでは、静電気による放電に伴う不具合が発生する可能性が十分にある。当該放電に伴う不具合の発生を抑制するためには、当該放電に伴う電荷がコモン配線に伝達することを抑制することが求められる。
【００１２】
本発明は、このような問題を解決するためになされたものであり、静電気による放電に伴う電荷がコモン配線に伝達することを抑制可能な液晶パネルおよび液晶表示装置を提供することを目的とする。
【課題を解決するための手段】
【００１３】
上記目的を達成するために、本発明の一態様に係る液晶パネルは、液晶を利用して映像を表示するための表示領域と、当該表示領域の周辺に形成される周辺領域とを有する。前記液晶パネルは、前記液晶パネルを制御するための第１基板と、前記第１基板に対向して配置される第２基板と、前記第１基板と前記第２基板とを接続するシール材および接続部材と、前記周辺領域に設けられる、前記液晶パネルの駆動に使用されるコモン配線と、前記周辺領域に設けられ、接地電位と接続される第１グランド配線および第２グランド配線と、を備え、前記コモン配線、前記第１グランド配線および前記第２グランド配線上には、絶縁膜が設けられ、前記シール材および前記接続部材の各々は、前記絶縁膜上に互いに離れて設けられ、前記周辺領域において、前記コモン配線、前記第１グランド配線および前記第２グランド配線の各々は、互いに離れて設けられ、前記コモン配線および前記シール材は、平面視において、前記表示領域を囲むように設けられ、前記第１基板、前記第２基板および前記シール材により形成される領域に前記液晶が設けられ、前記第１グランド配線は、平面視において、前記コモン配線を囲むように設けられ、前記第２グランド配線は、平面視において、前記第１グランド配線を囲むように設けられ、前記接続部材は、平面視において、前記シール材を囲むように設けられ、前記第２グランド配線のうち前記表示領域から最も遠い端である配線端は、前記接続部材のうち当該表示領域から最も遠い端よりも、平面視において、当該表示領域から離れた位置に存在し、前記シール材と前記接続部材との間には、電界が印加されている状態の前記液晶の比誘電率である液晶比誘電率より小さい比誘電率を有する空気を含む空間が存在し、前記第１グランド配線のうち前記第２グランド配線に最も近い部分である第１端部と、当該第２グランド配線のうち当該第１グランド配線に最も近い部分である第２端部とは、前記絶縁膜を介して、前記空間に接しており、前記シール材の比誘電率は、前記液晶比誘電率より小さく、前記コモン配線のうち前記第１グランド配線に最も近い部分である第３端部と、当該第１グランド配線のうち当該コモン配線に最も近い部分である第４端部とは、前記絶縁膜を介して、前記シール材に接している。
【発明の効果】
【００１４】
ここで、前記第１グランド配線の第１端部と、前記第２グランド配線の第２端部とが、前記絶縁膜を介して、仮に、空気を含む空間の比誘電率より大きい比誘電率を有する部材に接している構成を、「仮構成Ｚ１」ともいう。
【００１５】
本発明によれば、前記第１グランド配線の第１端部と、前記第２グランド配線の第２端部とが、前記絶縁膜を介して、前記液晶比誘電率より小さい比誘電率を有する空気を含む空間に接している。そのため、前記第１グランド配線と前記第２グランド配線との間の静電容量を、仮構成Ｚ１よりも小さくすることができる。
【００１６】
したがって、前記第２グランド配線から前記第１グランド配線への電荷の移動を抑制することができる。これにより、仮に、静電気による放電に伴う電荷が、前記第２グランド配線に侵入した場合でも、当該電荷が第１グランド配線に伝達することを抑制することができる。
【００１７】
ここで、シール材が配置されている領域に、仮に、当該シール材の代わりに液晶が配置された構成を、「仮構成Ｚ２」ともいう。
【００１８】
また、前記コモン配線の第３端部と、前記第１グランド配線の第４端部とは、前記絶縁膜を介して、前記液晶比誘電率より小さい比誘電率を有する前記シール材に接している。そのため、前記コモン配線と前記第１グランド配線との間の静電容量を、液晶に電界が印加されている状態の前述の仮構成Ｚ２よりも、小さくすることができる。
【００１９】
したがって、前記第１グランド配線から前記コモン配線への電荷の移動を抑制することができる。これにより、仮に、静電気による放電に伴う電荷が、前記第１グランド配線に侵入した場合でも、当該電荷がコモン配線に伝達することを抑制することができる。
【００２０】
以上により、本発明によれば、静電気による放電に伴う電荷がコモン配線に伝達することを抑制することができる。
【図面の簡単な説明】
【００２１】
【図１】本発明の実施の形態１に係る液晶表示装置の構成を示す平面図である。
【図２】本発明の実施の形態１に係る液晶表示装置の構成を示す平面図である。
【図３】図１および図２の領域の拡大図である。
【図４】液晶表示装置に含まれる液晶パネルの一部の断面図である。
【図５】本発明の実施の形態２に係る液晶パネルの構成を示す断面図である。
【図６】本発明の実施の形態３に係る液晶パネルの構成を示す断面図である。
【図７】本発明の実施の形態４に係る液晶パネルの構成を示す断面図である。
【発明を実施するための形態】
【００２２】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００２３】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００２４】
＜実施の形態１＞
図１は、本発明の実施の形態１に係る液晶表示装置１００の構成を示す平面図である。なお、図１では、主に、後述のグランド配線の配置状態を示す。
【００２５】
図１において、Ｘ，Ｙ，Ｚ方向の各々は、互いに直交する。以下の図に示されるＸ，Ｙ，Ｚ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００２６】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００２７】
図２は、本発明の実施の形態１に係る液晶表示装置１００の構成を示す平面図である。なお、図２では、主に、後述のシール材の配置状態を示す。図３は、図１および図２の領域ＲＬ１の拡大図である。図４は、液晶表示装置１００に含まれる後述の液晶パネル５０の一部の断面図である。具体的には、図４は、図３のＡ１−Ａ２線に沿った、液晶パネル５０の断面図である。
【００２８】
図１、図２および図４を参照して、液晶表示装置１００は、液晶パネル５０と、ＦＰＣ（Flexible printed circuits）４と、回路基板５とを含む。液晶表示装置１００は、液晶パネル５０を制御して映像を表示する。
【００２９】
液晶パネル５０は、詳細は後述するが、映像を表示するパネルである。液晶パネル５０は、表示領域Ｒ１と、周辺領域Ｒ２とを有する。表示領域Ｒ１は、液晶パネル５０が液晶を利用して映像を表示するための領域である。表示領域Ｒ１は、複数の画素から構成される。周辺領域Ｒ２は、当該表示領域Ｒ１の周辺に形成される。具体的には、周辺領域Ｒ２は、平面視（ＸＹ面）において、表示領域Ｒ１を囲む領域である。平面視（ＸＹ面）において、周辺領域Ｒ２の形状は枠状（矩形状）である。
【００３０】
また、液晶パネル５０は、アレイ基板２０と、対向基板２１、シール材９と、コモン配線８とを備える。アレイ基板２０は、液晶パネル５０を制御するための基板である。具体的には、アレイ基板２０には、液晶パネル５０を制御するための駆動回路３等が設けられる。すなわち、液晶パネル５０は、駆動回路３により制御される。
【００３１】
駆動回路３は、アレイ基板２０の周辺領域Ｒ２に設けられる。駆動回路３は、例えば、ＩＣである。駆動回路３は、例えば、ＣＯＧ実装される。また、駆動回路３は、例えば、表示領域Ｒ１の内部から延在する配線（図示せず）等に接続される。駆動回路３は、液晶パネル５０を制御することにより、液晶パネル５０に映像を表示させる。
【００３２】
対向基板２１は、図４のように、アレイ基板２０に対向して配置される。なお、平面視（ＸＹ面）におけるアレイ基板２０のサイズは、平面視（ＸＹ面）における対向基板２１のサイズより大きい。
【００３３】
シール材９は、液晶ＬＱ１を封入するための部材である。図２、図３および図４を参照して、シール材９は、液晶ＬＱ１を封入するための空間を設けるように、アレイ基板２０と対向基板２１とを接続する。シール材９は、周辺領域Ｒ２に設けられる。すなわち、シール材９は、平面視（ＸＹ面）において、表示領域Ｒ１を囲むように設けられる。つまり、平面視（ＸＹ面）において、シール材９の形状は枠状（矩形状）である。シール材９は、例えば、樹脂で構成される。当該樹脂は、例えば、紫外線が照射されることにより硬化する樹脂である。なお、アレイ基板２０、対向基板２１およびシール材９により形成される領域（空間）には、液晶ＬＱ１が封入される。すなわち、アレイ基板２０、対向基板２１およびシール材９により形成される領域に液晶ＬＱ１が設けられる。
【００３４】
コモン配線８は、液晶パネル５０の駆動に使用される。コモン配線８は、例えば、液晶パネル５０を動作させるための電圧を供給する配線である。また、コモン配線８は、例えば、表示領域Ｒ１を構成する各画素において液晶ＬＱ１に電圧が印加される際に当該液晶ＬＱ１を介して各画素と容量結合される電極と、電気的に接続されている。また、コモン配線８は、駆動回路３と電気的に接続されている。
【００３５】
また、コモン配線８は、周辺領域Ｒ２に設けられる。具体的には、コモン配線８は、平面視（ＸＹ面）において、図１の表示領域Ｒ１を形成する長方形の上辺、左辺および右辺を囲むように設けられる。すなわち、周辺領域Ｒ２内のコモン配線８は、平面視（ＸＹ面）において、表示領域Ｒ１を囲むように設けられる。
【００３６】
回路基板５は、液晶パネル５０を制御するための基板である。回路基板５は、ＦＰＣ４により、液晶パネル５０（アレイ基板２０）と接続される。すなわち、液晶パネル５０は、回路基板５と接続されている。より具体的には、ＦＰＣ４は、アレイ基板２０に設けられた駆動回路３と電気的に接続される。また、ＦＰＣ４は、回路基板５と電気的に接続される。すなわち、ＦＰＣ４により、駆動回路３と回路基板５とが接続される。なお、駆動回路３と回路基板５とを接続するものは、ＦＰＣ４に限定されず、他の配線等であってもよい。
【００３７】
また、回路基板５は、図１のように、接地端子Ｔｇを有する。接地端子Ｔｇは、接地電位に接続されている。すなわち、接地端子Ｔｇは接地されている。
【００３８】
なお、図１の表示領域Ｒ１内には、図示してない複数の配線（複数の走査線、複数の信号線、コモン配線８等）が交差するように設けられる。また、走査線と信号線とが交差する領域の近傍には、ＴＦＴ等のスイッチング素子（図示せず）が形成されている。当該スイッチング素子は、必要に応じて、映像の表示のために必要な電圧を、適宜、液晶ＬＱ１に印加するための動作を行う。
【００３９】
次に、液晶パネル５０の特徴的な構成について説明する。液晶パネル５０は、さらに、グランド配線６ａ，６ｂと、接続部材１２ａ，１２ｂ，１２ｃとを備える。
【００４０】
グランド配線６ａ，６ｂは、図１のように、周辺領域Ｒ２に設けられる。すなわち、グランド配線６ａ，６ｂは、駆動回路３とは独立して設けられる。なお、周辺領域Ｒ２において、コモン配線８、グランド配線６ａおよびグランド配線６ｂの各々は、互いに離れて設けられる。
【００４１】
グランド配線６ａ，６ｂの各々は、詳細は後述するが、接地電位と接続される。周辺領域Ｒ２内のグランド配線６ａは、平面視（ＸＹ面）において、コモン配線８を囲むように設けられる。すなわち、コモン配線８は、平面視（ＸＹ面）において、グランド配線６ａの内側に沿って設けられる。
【００４２】
周辺領域Ｒ２内のグランド配線６ｂは、図１のように、平面視（ＸＹ面）において、グランド配線６ａを囲むように設けられる。
【００４３】
なお、グランド配線６ａ，６ｂの各々は、図１のように、液晶パネル５０から、ＦＰＣ４を介して、回路基板５まで延在する。また、グランド配線６ａ，６ｂの各々は、回路基板５の接地端子Ｔｇと接続されている。すなわち、グランド配線６ａ，６ｂの各々は、接地電位に接続されている。これにより、例えば、静電気による放電により、グランド配線６ａ，６ｂに侵入した電荷の大部分は、接地端子Ｔｇへ移動する。
【００４４】
接続部材１２ａ，１２ｂ，１２ｃは、アレイ基板２０と対向基板２１とを接続するシール材である。なお、接続部材１２ａ，１２ｂ，１２ｃは、シール材９のように液晶ＬＱ１の封入のために設けられるのではなく、静電気による放電に伴う電荷を、グランド配線６ｂへ伝搬させやすくするために設けられる。
【００４５】
接続部材１２ａ，１２ｂ，１２ｃは、平面視（ＸＹ面）において、周辺領域Ｒ２に設けられる。また、接続部材１２ａ，１２ｂ，１２ｃは、図２のように、シール材９を形成する長方形の上辺、左辺および右辺を囲むように設けられる。具体的には、接続部材１２ａ，１２ｂ，１２ｃは、平面視（ＸＹ面）において、シール材９を囲むように設けられる。
【００４６】
以下においては、接続部材１２ａ，１２ｂ，１２ｃの各々を、「接続部材１２」ともいう。すなわち、各接続部材１２は、平面視（ＸＹ面）において、シール材９を囲むように設けられる。各接続部材１２は、例えば、シール材９を構成する材料と同じ材料で構成される。
【００４７】
なお、接続部材１２ａ，１２ｂ，１２ｃは、互いに独立して配置される構成でなくてもよい。例えば、接続部材１２ａ，１２ｂ，１２ｃは、互いに接続される構成としてもよい。
【００４８】
次に、図３および図４を用いて、コモン配線８、グランド配線６ａ，６ｂ、シール材９および接続部材１２の配置構成について詳細に説明する。前述したように、コモン配線８、およびグランド配線６ａ，６ｂは、平面視（ＸＹ面）において、表示領域Ｒ１を囲むように設けられる。
【００４９】
図４を参照して、アレイ基板２０は、絶縁膜１４と、基板１６とを含む。コモン配線８、およびグランド配線６ａ，６ｂは、基板１６上に形成されている。コモン配線８、グランド配線６ａおよびグランド配線６ｂ上には、絶縁膜１４が設けられる。具体的には、絶縁膜１４は、コモン配線８と、グランド配線６ａ，６ｂと、基板１６の一部とを覆うように積層される。絶縁膜１４の厚みは、例えば、当該絶縁膜１４を含むアレイ基板２０の厚みの０．５倍〜０．１倍の範囲のいずれかである。
【００５０】
なお、絶縁膜１４は、上層絶縁膜１４ａと下層絶縁膜１４ｂとから構成される。下層絶縁膜１４ｂは、コモン配線８と、グランド配線６ａ，６ｂと、基板１６の一部とを覆うように設けられる。上層絶縁膜１４ａは、下層絶縁膜１４ｂ上に設けられる。
【００５１】
なお、コモン配線８、およびグランド配線６ａ，６ｂは、例えば、表示領域Ｒ１内の走査線および信号線を構成する金属と同じ金属で構成される。具体的には、コモン配線８、グランド配線６ａ，６ｂは、例えば、アルミ、アルミ合金等で構成される。
【００５２】
上層絶縁膜１４ａおよび下層絶縁膜１４ｂは、例えば、窒化膜（ＳｉＮ）、酸化膜（ＳｉＯ）等で構成される。なお、上層絶縁膜１４ａおよび下層絶縁膜１４ｂは、有機膜（例えば、樹脂膜）で構成されてもよい。
【００５３】
シール材９および接続部材１２の各々は、絶縁膜１４（上層絶縁膜１４ａ）上に互いに離れて設けられる。また、シール材９は、図３および図４のように、絶縁膜１４を介して、コモン配線８とグランド配線６ａとの間の領域Ｒ１ａを覆うように設けられる。
【００５４】
以下においては、平面視（ＸＹ面）において、グランド配線６ｂのうち表示領域Ｒ１から最も遠い端を、「配線端６ｂｘ」ともいう（図３および図４参照）。また、以下においては、平面視（ＸＹ面）において、接続部材１２のうち表示領域Ｒ１から最も遠い端を、「部材端１２ｘ」ともいう（図３および図４参照）。
【００５５】
なお、図３および図４のように、接続部材１２の幅は、グランド配線６ｂの幅より小さい。また、接続部材１２は、平面視（ＸＹ面）において、グランド配線６ｂの中央部を覆うように設けられる。その結果、グランド配線６ｂの両端は、接続部材１２の両端より外側へはみ出ている。
【００５６】
そのため、図３および図４のように、平面視（ＸＹ面）において、グランド配線６ｂの配線端６ｂｘは、部材端１２ｘよりも、表示領域Ｒ１から離れた位置に存在する。すなわち、グランド配線６ｂの配線端６ｂｘの位置は、平面視（ＸＹ面）において、接続部材１２の外側の位置である。
【００５７】
また、図３および図４のように、シール材９と接続部材１２との間には、空気を含む空間Ｒ０ａが存在する。空間Ｒ０ａは、空気で構成される空間である。なお、空間Ｒ０ａに含まれる空気の割合は、１００％に限定されず、例えば、７０％〜９９％の範囲のいずれかであってもよい。
【００５８】
当該空気の比誘電率は、１．０である。比誘電率は、電荷の伝達のしやすさを示す値である。比誘電率は、当該比誘電率の値が小さい程、電荷を伝達させにくいことを示す。すなわち、比誘電率は、当該比誘電率の値が大きい程、電荷を伝達させやすいことを示す。
【００５９】
以下においては、液晶ＬＱ１に電界が印加されている状態の当該液晶ＬＱ１の比誘電率を、「液晶比誘電率」ともいう。液晶ＬＱ１に電界が印加されている状態は、映像を表示するために液晶パネル５０が駆動している状態（以下、「パネル駆動状態」ともいう）である。液晶比誘電率は、１０以上である。すなわち、空間Ｒ０ａは、液晶比誘電率（１０以上）より小さい比誘電率を有する空気を含む。なお、シール材９の比誘電率は、液晶比誘電率より小さい。シール材９の比誘電率は、例えば、３または３に近い値である。
【００６０】
以下においては、グランド配線６ａのうちグランド配線６ｂに最も近い部分を、「端部６ｒａ」ともいう（図４参照）。また、以下においては、グランド配線６ｂのうちグランド配線６ａに最も近い部分を、「端部６ｌｂ」ともいう。グランド配線６ａの端部６ｒａと、グランド配線６ｂの端部６ｌｂとは、絶縁膜１４を介して、空間Ｒ０ａに接している。
【００６１】
一般に、液晶パネルの周辺において、静電気による放電に伴う電荷は、シール材の外側端から、液晶パネル内に侵入する。本実施の形態では、前述したように、平面視（ＸＹ面）において、配線端６ｂｘは、部材端１２ｘよりも、表示領域Ｒ１から離れた位置に存在する。すなわち、配線端６ｂｘは、部材端１２ｘよりも、液晶パネル５０の外周部に近い。そのため、当該放電に伴う電荷は、接続部材１２の部材端１２ｘから、グランド配線６ｂを介して、接地端子Ｔｇへ移動する。
【００６２】
なお、グランド配線６ｂは、ある抵抗値を有する。そのため、グランド配線６ｂへ電荷が侵入した場合、当該グランド配線６ｂの電位は、一瞬上昇する。また、グランド配線６ｂとグランド配線６ａとは、静電容量により容量結合されている。そのため、グランド配線６ｂの電位の上昇に伴い、グランド配線６ａの電位も上昇する。
【００６３】
以下においては、グランド配線６ａの端部６ｒａと、グランド配線６ｂの端部６ｌｂとが、絶縁膜１４を介して、仮に、空気を含む空間Ｒ０ｂの比誘電率より大きい比誘電率を有する部材に接している構成を、「仮構成Ｚ１」ともいう。
【００６４】
本実施の形態では、グランド配線６ａの端部６ｒａと、グランド配線６ｂの端部６ｌｂとは、絶縁膜１４を介して、液晶比誘電率より小さい比誘電率を有する空気を含む空間Ｒ０ａに接している。そのため、グランド配線６ａとグランド配線６ｂとの間の静電容量を、前述の仮構成Ｚ１よりも、小さくすることができる。
【００６５】
したがって、グランド配線６ｂからグランド配線６ａへの電荷の移動を抑制することができる。すなわち、仮に、電荷がグランド配線６ｂに侵入した場合においても、グランド配線６ａの電位の上昇の度合いを、前述の仮構成Ｚ１よりも、低く抑えることができる。これにより、仮に、電荷がグランド配線６ｂに侵入した場合でも、当該電荷がグランド配線６ａに伝達することを抑制することができる。
【００６６】
以下においては、コモン配線８のうちグランド配線６ａに最も近い部分を、「端部８ｒ」ともいう（図４参照）。また、以下においては、グランド配線６ａのうちコモン配線８に最も近い部分を、「端部６ｌａ」ともいう（図４参照）。コモン配線８の端部８ｒと、グランド配線６ａの端部６ｌａとは、絶縁膜１４を介して、シール材９に接している。
【００６７】
また、グランド配線６ａとコモン配線８とは、容量結合されている。そのため、グランド配線６ａの電位の上昇に伴い、コモン配線８の電位も上昇する。以下において、シール材９が配置されている領域に、仮に、当該シール材９の代わりに液晶ＬＱ１が配置された構成を、「仮構成Ｚ２」ともいう。
【００６８】
本実施の形態では、コモン配線８の端部８ｒと、グランド配線６ａの端部６ｌａとは、絶縁膜１４を介して、シール材９に接している。なお、前述したように、シール材９の比誘電率は、前述の液晶比誘電率より小さい。そのため、前述のパネル駆動状態において、コモン配線８とグランド配線６ａとの間の静電容量を、液晶ＬＱ１に電界が印加されている状態の前述の仮構成Ｚ２よりも、小さくすることができる。
【００６９】
したがって、前述のパネル駆動状態において、グランド配線６ａからコモン配線８への電荷の移動を抑制することができる。すなわち、パネル駆動状態において、仮に、電荷がグランド配線６ａに侵入した場合においても、コモン配線８の電位の上昇の度合いを、仮構成Ｚ２よりも、低く抑えることができる。
【００７０】
以上により、静電気による放電に伴う電荷がグランド配線６ｂに侵入した場合でも、当該電荷がコモン配線８へ伝達することを大幅に抑制することができる。すなわち、電荷がグランド配線６ｂに侵入した場合でも、コモン配線８の電位変動はほとんどない。その結果、コモン配線８に接続されている各種回路（例えば、駆動回路３）の誤動作または故障の発生を防ぐことができる。
【００７１】
以上説明したように、本実施の形態によれば、グランド配線６ａの端部６ｒａと、グランド配線６ｂの端部６ｌｂとが、絶縁膜１４を介して、液晶比誘電率より小さい比誘電率を有する空気を含む空間Ｒ０ａに接している。そのため、グランド配線６ａとグランド配線６ｂとの間の静電容量を、前述の仮構成Ｚ１よりも、小さくすることができる。
【００７２】
したがって、グランド配線６ｂからグランド配線６ａへの電荷の移動を抑制することができる。これにより、仮に、静電気による放電に伴う電荷が、グランド配線６ｂに侵入した場合でも、当該電荷がグランド配線６ａに伝達することを抑制することができる。
【００７３】
また、コモン配線８の端部８ｒと、グランド配線６ａの端部６ｌａとは、絶縁膜１４を介して、液晶比誘電率より小さい比誘電率を有するシール材９に接している。そのため、コモン配線８とグランド配線６ａとの間の静電容量を、液晶ＬＱ１に電界が印加されている状態の前述の仮構成Ｚ２よりも、小さくすることができる。
【００７４】
したがって、グランド配線６ａからコモン配線８への電荷の移動を抑制することができる。これにより、仮に、静電気による放電に伴う電荷が、グランド配線６ａに侵入した場合でも、当該電荷がコモン配線８に伝達することを抑制することができる。
【００７５】
以上により、本実施の形態によれば、静電気による放電に伴う電荷がコモン配線に伝達することを抑制することができる。したがって、静電気による放電が生じた場合でも、液晶パネル５０（液晶表示装置１００）の動作の不具合が発生することを防止することができる。
【００７６】
また、本実施の形態では、コモン配線８の外側を囲むように、グランド配線６ａ，６ｂが設けられる。また、グランド配線６ｂの配線端６ｂｘの位置は、平面視（ＸＹ面）において、接続部材１２の外側の位置である。そのため、静電気による放電に伴う電荷をグランド配線６ｂへ伝搬させ易くすることができる。また、コモン配線８およびグランド配線６ａ，６ｂの上記の構成により、静電気による放電に伴う電荷がコモン配線８に伝達することを抑制することができる。そのため、コモン配線８に接続されている各種回路（例えば、駆動回路３）の誤動作または故障の発生を防ぐことができる。
【００７７】
なお、近年では、カーナビゲーションンシステムの一部として、車に搭載される液晶表示装置が増えつつある。そのため、当該液晶表示装置に対する、静電気の放電テストの耐圧規格が厳しくなっている。また、従来の液晶表示装置の構造は、液晶パネルの前面の４辺をフロントフレームで覆う構造が一般的であった。しかしながら、近年では、意匠的な理由、機構的な理由等により、フロントフレームを持たない構造（フロントフレームレス構造）の液晶表示装置が増えてきている。
【００７８】
このため、フロントフレームレス構造の液晶表示装置では、放電による電荷がフロントフレームへ移動することがない。また、ＦＦＳモード、ＩＰＳモード等の従来の液晶表示装置では、接地された透明導電膜が対向基板に存在するにも関わらず、電荷が、直接、アレイ基板の配線パターンへ侵入する可能性もある。すなわち、従来の液晶表示装置は、近年の厳しくなった耐圧規格を満足してなく、放電により、当該液晶表示装置の動作の不具合が発生するという問題点がある。
【００７９】
そこで、本実施の形態は上記のように構成されるため、上記の問題点を解決することができる。
【００８０】
なお、本実施の形態では、シール材９の下方に存在するコモン配線８およびグランド配線６ａに、紫外線を透過させるためのスリットを設けた構成としても良い。当該構成により、アレイ基板２０の下方から出射される紫外線を、当該スリットを介して、シール材９に照射することができる。これにより、液晶パネル５０の製造過程において、シール材９を容易に硬化させることができる。
【００８１】
また、前述したように、接続部材１２は、シール材９のように液晶ＬＱ１の封入のために設けられるのではなく、静電気による放電に伴う電荷を、グランド配線６ｂへ伝搬させやすくするために設けられる。そのため、本実施の形態では、接続部材１２が、アレイ基板２０と対向基板２１との間隔を確保するためのスペーサである構成としてもよい。当該スペーサの形状は、例えば、柱状である。
【００８２】
また、本実施の形態では、グランド配線６ａ，６ｂを設ける構成としている。すなわち、本実施の形態では、グランド配線の数は２としたが、グランド配線の数が３以上であり、空気を含む空間の数が２以上である構成としてもよい。当該構成では、例えば、平面視（ＸＹ面）において、グランド配線６ａとグランド配線６ｂとの間に、１以上のグランド配線が設けられる。
【００８３】
＜実施の形態２＞
本実施の形態の構成は、絶縁膜１４に穴を設けた構成（以下、「変形構成Ａ」ともいう）である。以下においては、変形構成Ａを適用した液晶パネル５０を、「液晶パネル５０Ａ」ともいう。本実施の形態に係る液晶表示装置１００は、実施の形態１の液晶パネル５０の代わりに液晶パネル５０Ａを含む。
【００８４】
図５は、本発明の実施の形態２に係る液晶パネル５０Ａの構成を示す断面図である。なお、図５は、図４の構成が設けられる位置と同じ位置における液晶パネル５０Ａの構成を示す。すなわち、図５は、変形構成Ａを適用した図１および図２の領域ＲＬ１の断面図である。
【００８５】
液晶パネル５０Ａは、実施の形態１の液晶パネル５０と比較して、絶縁膜１４に、穴Ｈ１ａ，Ｈ１ｂが設けられる点が異なる。液晶パネル５０Ａのそれ以外の構成は、実施の形態１の液晶パネル５０と同様なので詳細な説明は繰り返さない。
【００８６】
本実施の形態では、グランド配線６ａとグランド配線６ｂとの間に空間Ｒ０ａの空気が存在するように、絶縁膜１４のうちグランド配線６ａとグランド配線６ｂとの間の領域に穴Ｈ１ａが設けられる。穴Ｈ１ａは、上層絶縁膜１４ａおよび下層絶縁膜１４ｂを貫通する。これにより、グランド配線６ａとグランド配線６ｂとの間には、空間Ｒ０ａの空気が存在する。
【００８７】
また、コモン配線８とグランド配線６ａとの間にシール材９の一部が存在するように、絶縁膜１４のうちコモン配線８とグランド配線６ａとの間の領域に穴Ｈ１ｂが設けられる。穴Ｈ１ｂは、上層絶縁膜１４ａおよび下層絶縁膜１４ｂを貫通する。これにより、コモン配線８とグランド配線６ａとの間には、シール材９の一部が存在する。
【００８８】
前述したように、絶縁膜１４（上層絶縁膜１４ａおよび下層絶縁膜１４ｂ）は、例えば、窒化膜、酸化膜等で構成される。当該窒化膜の比誘電率は、６．７または６．７に近い値である。また、当該酸化膜の比誘電率は、４または４に近い値である。
【００８９】
すなわち、変形構成Ａでは、コモン配線８とグランド配線６ａとの間には、絶縁膜１４の比誘電率より小さい比誘電率を有するシール材９が存在する。そのため、変形構成Ａでは、コモン配線８とグランド配線６ａとの間の静電容量は、実施の形態１の構成よりも小さい。
【００９０】
以上により、変形構成Ａでは、グランド配線６ｂに侵入した電荷がコモン配線８へ伝達することを、実施の形態１の構成よりも、さらに抑制することができる。その結果、変形構成Ａでは、コモン配線８に接続されている各種回路（例えば、駆動回路３）の誤動作または故障の発生を、実施の形態１よりも確実に防ぐことができる。
【００９１】
なお、変形構成Ａでは、穴Ｈ１ａ，Ｈ１ｂの両方ではなく、穴Ｈ１ａ，Ｈ１ｂの一方のみを設ける構成としてもよい。すなわち、この構成では、絶縁膜１４のうちグランド配線６ａとグランド配線６ｂとの間の領域、および、絶縁膜１４のうちコモン配線８とグランド配線６ａとの間の領域の一方に穴（穴Ｈ１ａまたはＨ１ｂ）が設けられる。
【００９２】
また、変形構成Ａでは、穴Ｈ１ａは、上層絶縁膜１４ａおよび下層絶縁膜１４ｂの両方ではなく、上層絶縁膜１４ａのみに設けられてもよい。
【００９３】
また、変形構成Ａでは、穴Ｈ１ｂは、上層絶縁膜１４ａおよび下層絶縁膜１４ｂの両方ではなく、上層絶縁膜１４ａのみに設けられてもよい。
【００９４】
＜実施の形態３＞
本実施の形態の構成は、グランド配線を厚み方向に分割した構成（以下、「変形構成Ｂ」ともいう）である。以下においては、変形構成Ｂを適用した液晶パネル５０を、「液晶パネル５０Ｂ」ともいう。本実施の形態に係る液晶表示装置１００は、実施の形態１の液晶パネル５０の代わりに液晶パネル５０Ｂを含む。
【００９５】
図６は、本発明の実施の形態３に係る液晶パネル５０Ｂの構成を示す断面図である。なお、図６は、図４の構成が設けられる位置と同じ位置における液晶パネル５０Ｂの構成を示す。すなわち、図６は、変形構成Ｂを適用した図１および図２の領域ＲＬ１の断面図である。
【００９６】
液晶パネル５０Ｂは、実施の形態１の液晶パネル５０と比較して、グランド配線６ａ，６ｂの構造が異なる。液晶パネル５０Ｂのそれ以外の構成は、実施の形態１の液晶パネル５０と同様なので詳細な説明は繰り返さない。
【００９７】
以下においては、変形構成Ｂを適用したグランド配線６ａを、「グランド配線６ａＢ」ともいう。グランド配線６ａＢは、実施の形態１のグランド配線６ａと同じように配置される。すなわち、グランド配線６ａＢは、平面視（ＸＹ面）において、コモン配線８を囲むように設けられる。
【００９８】
また、以下においては、変形構成Ｂを適用したグランド配線６ｂを、「グランド配線６ｂＢ」ともいう。グランド配線６ｂＢは、実施の形態１のグランド配線６ｂと同じように配置される。すなわち、グランド配線６ｂＢは、平面視（ＸＹ面）において、グランド配線６ａＢを囲むように設けられる。
【００９９】
グランド配線６ａＢは、配線６ａ１および配線６ａ２から構成される。配線６ａ１および配線６ａ２は、厚み方向（Ｚ軸方向）に積層される。具体的には、配線６ａ１は、上層絶縁膜１４ａに設けられる。配線６ａ２は、下層絶縁膜１４ｂに設けられる。すなわち、配線６ａ１は、下層絶縁膜１４ｂを介して、配線６ａ２の上方に積層される。
【０１００】
また、アレイ基板２０内において、配線６ａ１と配線６ａ２とは電気的に接続される。配線６ａ１と配線６ａ２とは、例えば、コンタクトホール、他の配線等により電気的に接続される。
【０１０１】
また、グランド配線６ｂＢは、配線６ｂ１および配線６ｂ２から構成される。配線６ｂ１および配線６ｂ２は、厚み方向（Ｚ軸方向）に積層される。具体的には、配線６ｂ１は、上層絶縁膜１４ａに設けられる。配線６ｂ２は、下層絶縁膜１４ｂに設けられる。すなわち、配線６ｂ１は、下層絶縁膜１４ｂを介して、配線６ｂ２の上方に積層される。
【０１０２】
また、アレイ基板２０内において、配線６ｂ１と配線６ｂ２とは電気的に接続される。配線６ｂ１と配線６ｂ２とは、例えば、コンタクトホール、他の配線等により電気的に接続される。
【０１０３】
以上説明したように、本実施の形態では、グランド配線６ａＢ，６ｂＢの各々が、厚み方向に積層された２つの配線で構成される。また、当該２つの配線が電気的に接続されている。そのため、グランド配線６ａＢは、実施の形態１のグランド配線６ａより抵抗値が低い。また、グランド配線６ｂＢは、実施の形態１のグランド配線６ｂより抵抗値が低い。
【０１０４】
そのため、変形構成Ｂでは、グランド配線６ｂＢ（配線６ｂ２）に侵入した電荷がコモン配線８へ伝達することを、実施の形態１の構成よりも、さらに抑制することができる。その結果、変形構成Ｂでは、コモン配線８に接続されている各種回路（例えば、駆動回路３）の誤動作または故障の発生を、実施の形態１よりも確実に防ぐことができる。
【０１０５】
なお、変形構成Ｂでは、２つのグランド配線の両方ではなく、当該２つのグランド配線の一方のみを、厚み方向に積層された２つの配線で構成するようにしてもよい。例えば、変形構成Ｂでは、配線６ａ１および配線６ａ２から構成されるグランド配線６ａＢと、実施の形態１のグランド配線６ｂとを使用する構成としてもよい。また、例えば、変形構成Ｂでは、実施の形態１のグランド配線６ａと、配線６ｂ１および配線６ｂ２から構成されるグランド配線６ｂＢとを使用する構成としてもよい。
【０１０６】
なお、本実施の形態の変形構成Ｂを、実施の形態２の変形構成Ａに適用した構成（以下、「変形構成Ａｂ」ともいう）としてもよい。変形構成Ａｂは、例えば、図６の構成に対し、図５の穴Ｈ１ａ，Ｈ１ｂの両方または一方を設けた構成である。
【０１０７】
＜実施の形態４＞
本実施の形態の構成は、グランド配線が液晶パネルの端部から露出する構成（以下、「変形構成Ｃ」ともいう）である。以下においては、変形構成Ｃを適用した液晶パネル５０を、「液晶パネル５０Ｃ」ともいう。本実施の形態に係る液晶表示装置１００は、実施の形態１の液晶パネル５０の代わりに液晶パネル５０Ｃを含む。
【０１０８】
図７は、本発明の実施の形態４に係る液晶パネル５０Ｃの構成を示す断面図である。なお、図７は、図４の構成が設けられる位置と同じ位置における液晶パネル５０Ｃの構成を示す。すなわち、図７は、変形構成Ｃを適用した図１および図２の領域ＲＬ１の断面図である。
【０１０９】
液晶パネル５０Ｃは、実施の形態１の液晶パネル５０と比較して、グランド配線６ｂの配置状態が異なる。液晶パネル５０Ｃのそれ以外の構成は、実施の形態１の液晶パネル５０と同様なので詳細な説明は繰り返さない。以下においては、変形構成Ｃを適用したグランド配線６ｂを、「グランド配線６ｂＣ」ともいう。
【０１１０】
グランド配線６ｂＣは、液晶パネル５０Ｃの端部において当該液晶パネル５０Ｃの外部に露出している。具体的には、グランド配線６ｂＣは、液晶パネル５０Ｃの外側の端面から外部に露出するように、当該液晶パネル５０Ｃの端面まで延在している。
【０１１１】
この構成により、静電気による放電に伴う電荷は、他の配線に直接侵入することなく、接続部材１２の外側端、および絶縁膜１４を伝搬して、グランド配線６ｂＣに確実に侵入させることができる。そのため、電荷が、グランド配線６ｂＣを介さずに、直接グランド配線６ａに侵入することを防ぐことができる。そのため、変形構成Ｃでは、コモン配線８に接続されている各種回路（例えば、駆動回路３）の誤動作または故障の発生を防ぐことができる。
【０１１２】
なお、本実施の形態の変形構成Ｃを、実施の形態２の変形構成Ａに適用した構成（以下、「変形構成Ａｃ」ともいう）としてもよい。変形構成Ａｃは、例えば、図５の構成において、図５のグランド配線６ｂを、グランド配線６ｂＣと置き換えた構成である。
【０１１３】
また、本実施の形態の変形構成Ｃを、実施の形態３の変形構成Ｂに適用した構成（以下、「変形構成Ｂｃ」ともいう）としてもよい。「変形構成Ｂｃ」は、図６において、配線６ｂ１および配線６ｂ２の両方が、液晶パネル５０Ｂの端部において当該液晶パネル５０Ｂの外部に露出した構成である。
【０１１４】
また、本実施の形態の変形構成Ｃを、前述の変形構成Ａｂに適用した構成（以下、「変形構成Ａｂｃ」ともいう）としてもよい。変形構成Ａｂｃは、前述の変形構成Ｂｃの構成に対し、図５の穴Ｈ１ａ，Ｈ１ｂの両方または一方を設けた構成である。
【０１１５】
なお、本発明は、その発明の範囲内において、各実施の形態を自由に組み合わせたり、各実施の形態を適宜、変形、省略することが可能である。
【０１１６】
例えば、実施の形態１〜４のいずれかの液晶表示装置１００は、ＦＦＳモード、ＩＰＳモード等の液晶表示装置に限定されず、ＴＮモードの液晶表示装置であっても良い。
【符号の説明】
【０１１７】
５  回路基板、６ａ，６ａＢ，６ｂ，６ｂＢ，６ｂＣ  グランド配線、８  コモン配線、９  シール材、１２，１２ａ，１２ｂ，１２ｃ  接続部材、１４  絶縁膜、２０  アレイ基板、２１  対向基板、５０，５０Ａ，５０Ｂ，５０Ｃ  液晶パネル、１００  液晶表示装置。
【図１】
0006376949.tif 000002
【図２】
0006376949.tif 000003
【図３】
0006376949.tif 000004
【図４】
0006376949.tif 000005
【図５】
0006376949.tif 000006
【図６】
0006376949.tif 000007
【図７】
0006376949.tif 000008